(57)【要約】【課題】製造コストを低廉化できるとともに、電気部品の電気的ノイズに起因する不具合を抑制できる食器洗浄機を提供する。【解決手段】食器洗浄機１は、アース接続経路ＥＣ１を含む筐体９と、筐体９内に固定された支持レール１１と、筐体９の外部に向かう引き出し方向にスライド可能に支持レール１１に支持された可動レール１５と、を含み、導電性を有するスライドレール１０と、可動レール１５に固定され、筐体９内に収容された収容位置と、筐体９内から引き出し方向に移動した引き出し位置との間で移動可能であり、食器ＴＷ１が収容される洗浄槽７と、洗浄槽７に組み付けられた電気部品６２、６８、６３、４０、Ｃ１と、電気部品６２、…から延びるアース配線Ｅ１と、を備える。アース配線Ｅ１の端部Ｅ１Ｅは、可動レール１５又は支持レール１１に電気的に導通する。支持レール１１は、アース接続経路ＥＣ１に電気的に導通する。【選択図】図４
2020185236.tif 000002
【特許請求の範囲】
【請求項１】
アース接続経路を含む筐体と、
前記筐体内に固定された支持レールと、前記筐体の外部に向かう引き出し方向にスライド可能に前記支持レールに支持された可動レールと、を含み、導電性を有するスライドレールと、
前記可動レールに固定され、前記筐体内に収容された収容位置と、前記筐体内から前記引き出し方向に移動した引き出し位置との間で移動可能であり、食器が収容される洗浄槽と、
前記洗浄槽に組み付けられた電気部品と、
前記電気部品から延びるアース配線と、を備え、
前記アース配線の端部は、前記可動レール又は前記支持レールに電気的に導通し、
前記支持レールは、前記アース接続経路に電気的に導通していることを特徴とする食器洗浄機。
【請求項２】
前記アース配線の前記端部は、前記可動レールにおける前記引き出し方向の先端部に電気的に導通している請求項１記載の食器洗浄機。
【請求項３】
前記筐体は、導電性を有して前記アース接続経路を兼ねており、
前記支持レールは、前記筐体内に固定されることによって前記アース接続経路に電気的に導通している請求項１又は２記載の食器洗浄機。
【請求項４】
前記洗浄槽内に洗浄水を噴射するノズルに前記洗浄水を供給するポンプと、
前記洗浄槽内に空気を送り込む乾燥ファンと、
前記洗浄水及び前記空気を加熱するヒータと、
ユーザの操作入力を受けるとともに情報を表示する入出力部と、
前記ポンプ、前記乾燥ファン、前記ヒータ及び前記入出力部を制御する制御部と、をさらに備え、
前記電気部品は、前記ポンプ、前記乾燥ファン、前記ヒータ、前記入出力部及び前記制御部のうちの少なくとも１つである請求項１乃至３のいずれか１項記載の食器洗浄機。
【発明の詳細な説明】
【技術分野】
【０００１】
本発明は食器洗浄機に関する。
【背景技術】
【０００２】
例えば、特許文献１及び特許文献２に開示されているような食器洗浄機が知られている。
【０００３】
特許文献１の図１及び図２に図示されているように、この種の食器洗浄機は、筐体、スライドレール及び洗浄槽を備えている。スライドレールは、支持レール及び可動レールを含んでいる。支持レールは、筐体内に固定されている。可動レールは、筐体の外部に向かう引き出し方向にスライド可能に支持レールに支持されている。洗浄槽は、可動レールに固定され、筐体内に収容された収容位置と、筐体内から引き出し方向に移動した引き出し位置との間で移動可能である。洗浄槽には、食器が収容される。
【０００４】
また、特許文献２の図１及び図２に図示されているように、この種の食器洗浄機は、洗浄槽に組み付けられた電気部品を備えている。電気部品は、洗浄槽と共に移動するようになっている。電気部品は、例えば、洗浄槽内に洗浄水を噴射するノズルに洗浄水を供給するポンプ、洗浄槽内に空気を送り込む乾燥ファン、洗浄水及び空気を加熱するヒータ、ユーザの操作入力を受けるとともに情報を表示する入出力部、それらを制御する制御部等である。そして、この種の食器洗浄機では、電気部品が動作することにより、洗浄槽内の食器の洗浄及び乾燥等を行うことができる。
【０００５】
特許文献１、２には図示されていないが、この種の食器洗浄機では、電気部品を正常に動作させるために電気部品のアースを取る必要がある。このため、電気部品から延びるアース配線が洗浄槽側から筐体側まで引き廻されて、筐体に含まれるアース接続経路に電気的に導通するようになっている。
【先行技術文献】
【特許文献】
【０００６】
【特許文献１】特開２０１４−２０９９６７号公報
【特許文献２】特開２０１６−１１２０４１号公報
【発明の概要】
【発明が解決しようとする課題】
【０００７】
しかし、上記従来の食器洗浄機では、洗浄槽側から筐体側まで引き廻されたアース配線が洗浄槽の移動を阻害しないように、アース配線を洗浄槽の引き出し距離に応じて長くする必要がある。このため、この食器洗浄機では、アース配線自体の部品コストを低廉化することが難しいとともに、アース配線の引き廻し部材等の部品点数の削減や組み付け作業の簡素化を実現することが難しい。また、アース配線が長い分だけ、電気的ノイズを減少させることが難しい。
【０００８】
その結果、この食器洗浄機では、製造コストを低廉化することが難しいとともに、電気部品の電気的ノイズに起因する不具合、例えばエラー誤検知等を抑制することが難しいという問題がある。
【０００９】
本発明は、上記従来の実情に鑑みてなされたものであって、製造コストを低廉化できるとともに、電気部品の電気的ノイズに起因する不具合を抑制できる食器洗浄機を提供することを解決すべき課題としている。
【課題を解決するための手段】
【００１０】
本発明の食器洗浄機は、アース接続経路を含む筐体と、
前記筐体内に固定された支持レールと、前記筐体の外部に向かう引き出し方向にスライド可能に前記支持レールに支持された可動レールと、を含み、導電性を有するスライドレールと、
前記可動レールに固定され、前記筐体内に収容された収容位置と、前記筐体内から前記引き出し方向に移動した引き出し位置との間で移動可能であり、食器が収容される洗浄槽と、
前記洗浄槽に組み付けられた電気部品と、
前記電気部品から延びるアース配線と、を備え、
前記アース配線の端部は、前記可動レール又は前記支持レールに電気的に導通し、
前記支持レールは、前記アース接続経路に電気的に導通していることを特徴とする。
【００１１】
本発明の食器洗浄機では、アース配線の端部が可動レール又は支持レールに電気的に導通する構成により、アース配線と、スライドレールの少なくとも一部と、アース接続経路とを経由して、洗浄槽と共に移動する電気部品のアースを取ることができる。
【００１２】
そして、この食器洗浄機では、そのスライドレールの少なくとも一部の長さに応じて、アース配線を短縮できる。その結果、この食器洗浄機では、アース配線自体の部品コストを低廉化できるとともに、アース配線の引き廻し部材等の省略又は簡略によって、部品点数の削減や組み付け作業の簡素化を実現できる。また、この食器洗浄機では、アース配線が短縮される分だけ、電気的ノイズを減少させることができる。
【００１３】
したがって、本発明の食器洗浄機では、製造コストを低廉化できるとともに、電気部品の電気的ノイズに起因する不具合を抑制できる。
【００１４】
アース配線の端部は、可動レールにおける引き出し方向の先端部に電気的に導通していることが望ましい。この場合、スライドレールの全体を利用して、電気部品のアースを取ることができるので、アース配線を一層短縮できる。その結果、製造コストを一層低廉化できるとともに、電気部品の電気的ノイズに起因する不具合を一層抑制できる。
【００１５】
筐体は、導電性を有してアース接続経路を兼ねていることが望ましい。そして、支持レールは、筐体内に固定されることによってアース接続経路に電気的に導通していることが望ましい。この場合、支持レールがアース接続経路に電気的に導通する構成についても、部品点数の削減や組み付け作業の簡素化を実現できる。
【００１６】
本発明の食器洗浄機は、洗浄槽内に洗浄水を噴射するノズルに洗浄水を供給するポンプと、洗浄槽内に空気を送り込む乾燥ファンと、洗浄水及び空気を加熱するヒータと、ユーザの操作入力を受けるとともに情報を表示する入出力部と、ポンプ、乾燥ファン、ヒータ及び入出力部を制御する制御部と、をさらに備えていることが望ましい。そして、電気部品は、ポンプ、乾燥ファン、ヒータ、入出力部及び制御部のうちの少なくとも１つであることが望ましい。このような具体的構成により、本発明の作用効果を確実に享受できる。
【発明の効果】
【００１７】
本発明の食器洗浄機によれば、製造コストを低廉化できるとともに、電気部品の電気的ノイズに起因する不具合を抑制できる。
【図面の簡単な説明】
【００１８】
【図１】図１は、実施例１の食器洗浄機の模式断面図であって、洗浄槽が収容位置にある状態を示す図である。
【図２】図２は、図１と同様の模式断面図であって、洗浄槽が引き出し位置にある状態を示す図である。
【図３】図３は、実施例１の食器洗浄機の模式構成図であって、洗浄槽が収容位置にあり、アース配線と、スライドレールと、アース接続経路とを経由して、電気部品のアースが取られた状態を示す図である。
【図４】図４は、図３と同様の模式構成図であって、洗浄槽が引き出し位置にあり、アース配線と、スライドレールと、アース接続経路とを経由して、電気部品のアースが取られた状態を示す図である。
【図５】図５は、図３のＡ−Ａ断面を示す部分断面図である。
【図６】図６は、実施例２の食器洗浄機の模式構成図であって、洗浄槽が収容位置にあり、アース配線と、スライドレールの支持レールと、アース接続経路とを経由して、電気部品のアースが取られた状態を示す図である。
【図７】図７は、図６と同様の模式構成図であって、洗浄槽が引き出し位置にあり、アース配線と、スライドレールの支持レールと、アース接続経路とを経由して、電気部品のアースが取られた状態を示す図である。
【発明を実施するための形態】
【００１９】
以下、本発明を具体化した実施例１、２を図面を参照しつつ説明する。
【００２０】
（実施例１）
図１〜図４に示すように、実施例１の食器洗浄機１は、本発明の食器洗浄機の具体的態様の一例である。食器洗浄機１は、システムキッチンの天板ＣＴ１の下側に設置された前面引き出し式のものである。
【００２１】
＜筐体、洗浄槽、スライドレール及び蓋体＞
食器洗浄機１は、図１〜図４に示す筐体９及び洗浄槽７と、図３及び図４に示すスライドレール１０と、図１及び図２に示す蓋体８とを備えている。本実施例では、略箱状体である筐体９におけるシステムキッチンを利用するユーザと対向する側面側、すなわち図１〜図４の紙面左側を筐体９の前面側と規定し、図１〜図４の紙面右側を筐体９の奥側と規定する。
【００２２】
筐体９は、鋼板等の金属板材によって構成された略箱状体であり、導電性を有している。筐体９の上面側は、天板ＣＴ１に覆われている。筐体９は、筐体開口部９Ｈを有している。筐体開口部９Ｈは、筐体９の前面側の上端部から下端部までの広い範囲を開放しており、筐体９内と外部とを連通させている。
【００２３】
図１に示すように、洗浄槽７は、筐体９内に設けられている。洗浄槽７は、主に耐熱性樹脂等によって構成された略箱状体であり、導電性を有していない。洗浄槽７は、開口７Ｈを有している。開口７Ｈは、洗浄槽７の上面側を開放している。洗浄槽７の前面側の上端部には、取っ手部７Ｇが設けられている。
【００２４】
図３に示すように、スライドレール１０は、筐体９と洗浄槽７との間に設けられている。より詳しくは、１つのスライドレール１０が筐体９における図３の紙面手前側の内壁面と、洗浄槽７における図３の紙面手前側の側面との間に設けられている。また、図示は省略するが、もう１つのスライドレール１０が筐体９における図３の紙面奥側の内壁面と、洗浄槽７における図３の紙面奥側の側面との間に設けられている。
【００２５】
筐体９における図３の紙面手前側の内壁面は、図５に示す筐体９の側壁９Ｓの内壁面である。洗浄槽７における図３の紙面手前側の側面は、図５に示す洗浄槽７の側壁７Ｓの側面である。
【００２６】
それら２つのスライドレール１０は、勝手違いで組み付けられた同一部品である。このため、図３の紙面手前側に位置するスライドレール１０について詳しく説明し、図３の紙面奥側に位置するスライドレール１０については説明を省略する。
【００２７】
スライドレール１０は、支持レール１１及び可動レール１５を含んでいる。また、スライドレール１０は、図５に示すように、ボールリテーナ１７及び複数のボール１９を含んでいる。支持レール１１、可動レール１５及びボールリテーナ１７はそれぞれ、鋼板等の金属板材によって構成されている。各ボール１９は、鋼球等の金属球体によって構成されている。各ボール１９と、支持レール１１、可動レール１５及びボールリテーナ１７との間には、導電性グリスが塗布されている。つまり、スライドレール１０は、支持レール１１から可動レール１５までに亘って、導電性を有している。
【００２８】
支持レール１１は断面略Ｃ字形状であり、基板１１Ａ及びボール案内部１１Ｂ、１１Ｃを含んでいる。
【００２９】
基板１１Ａは、前後方向及び上下方向に平板状に延びている。基板１１Ａは、筐体９の側壁９Ｓの内壁面に当接する状態で、ねじ等の締結手段１１Ｊによって側壁９Ｓに組み付けられている。これにより、支持レール１１は、筐体９内に固定されるとともに、筐体９と電気的に導通している。
【００３０】
上側のボール案内部１１Ｂは、基板１１Ａの上端から筐体９の内部に向って屈曲する部分の先端部に形成されている。下側のボール案内部１１Ｃは、基板１１Ａの下端から筐体９の内部に向って屈曲する部分の先端部に形成されている。
【００３１】
図３に示すように、支持レール１１は、筐体９の前端に近い位置から、筐体９の後端に近い位置まで長く延びている。
【００３２】
図５に示すように、可動レール１５は断面略Ｃ字形状であり、基板１５Ａ及びボール案内部１５Ｂ、１５Ｃを含んでいる。
【００３３】
基板１５Ａは、前後方向及び上下方向に平板状に延びている。基板１５Ａは、洗浄槽７の側壁７Ｓの側面に当接する状態で、ねじ等の締結手段１５Ｊによって側壁７Ｓに組み付けられている。これにより、洗浄槽７は、可動レール１５に固定されている。
【００３４】
上側のボール案内部１５Ｂは、基板１５Ａの上端から筐体９の外部に向って屈曲する部分の先端部に形成されている。下側のボール案内部１５Ｃは、基板１５Ａの下端から筐体９の外部に向って屈曲する部分の先端部に形成されている。
【００３５】
図３に示すように、可動レール１５の前端部１５Ｆは、洗浄槽７の前端に近い位置に配置されている。可動レール１５の前端部１５Ｆは、本発明の「可動レールにおける引き出し方向の先端部」の一例である。可動レール１５の前後方向の長さは、支持レール１１の前後方向の長さよりも若干長く設定されている。可動レール１５の後端部は、洗浄槽７の後端よりも後方に突出している。
【００３６】
図５に示すように、ボールリテーナ１７は断面略Ｗ字形状であり、上端部と下端部とに複数のボール保持穴１７Ｈが貫通するように形成されている。
【００３７】
各ボール１９は、ボールリテーナ１７の上端部が支持レール１１のボール案内部１１Ｂと可動レール１５のボール案内部１５Ｂとの間に配置され、かつボールリテーナ１７の下端部が支持レール１１のボール案内部１１Ｃと可動レール１５のボール案内部１５Ｃとの間に配置された状態で、各ボール保持穴１７Ｈに保持されている。これにより、各ボール１９は、支持レール１１のボール案内部１１Ｂ、１１Ｃと可動レール１５のボール案内部１５Ｂ、１５Ｃとに当接しながら転動可能となっている。
【００３８】
このような構成であるスライドレール１０では、ボールリテーナ１７及び各ボール１９が支持レール１１と可動レール１５との間で直動ベアリングとして機能することにより、可動レール１５が筐体９の内部から外部に向かって前向きに進む方向、すなわち引き出し方向にスライド可能に支持レール１１に支持されている。そして、可動レール１５が引き出し方向にスライドしても、スライドレール１０が支持レール１１から可動レール１５までに亘って導電性を有する状態が維持されるようになっている。
【００３９】
ユーザが取っ手部７Ｇを把持して手動操作で洗浄槽７を出し入れすることにより、洗浄槽７は、図１及び図３に示すように筐体９内に収容された収容位置と、図２及び図４に示すように筐体９から引き出し方向に移動した引き出し位置との間で移動可能である。
【００４０】
図１及び図２に示すように、蓋体８は、筐体９内の上側に配置されており、洗浄槽７の開口７Ｈを閉塞及び開放可能である。蓋体８は、図示しない連動機構によって、洗浄槽７の出し入れに連動して、図１に示す位置と、図２に示す位置との間で上下動するようになっている。
【００４１】
図１に示すように、洗浄槽７は、収容位置にある状態で、筐体開口部９Ｈを閉塞するとともに、開口７Ｈが蓋体８によって閉塞される。
【００４２】
図２に示すように、洗浄槽７は、引き出し位置にある状態で、筐体９内に残る蓋体８によって、筐体９の外部に露出する開口７Ｈが開放される。これにより、ユーザは、開口７Ｈを介して、食器ＴＷ１を洗浄槽７に収容したり、食器ＴＷ１を洗浄槽７から取り出したりすることができる。
【００４３】
図１に示すように、筐体９内には、給水管Ｐ１、給水電磁弁６９及び排水管Ｐ２が設けられている。
【００４４】
給水管Ｐ１は、食器洗浄機１の外部に設けられた図示しない給水源から洗浄槽７に水を供給する。給水電磁弁６９は、給水管Ｐ１を開閉して洗浄槽７への水の供給と停止とを切り替える。排水管Ｐ２は、洗浄槽７内の洗浄水を食器洗浄機１の外部に排水する。
【００４５】
図２に示すように、給水管Ｐ１及び排水管Ｐ２は、洗浄槽７の引き出し位置への移動を阻害しないように、洗浄槽７の引き出し距離に応じて長くされている。図１に示すように、給水管Ｐ１及び排水管Ｐ２は、洗浄槽７が収容位置に移動するときに、逆Ｕ字形状に湾曲して洗浄槽７の後端と筐体９の後端との間の狭い空間に収まるようになっている。
【００４６】
洗浄槽７内の底部には、洗浄水を貯める貯水部７１が設けられている。また、洗浄槽７内には、食器かご７０が配置されている。食器かご７０には、食器ＴＷ１が載置される。食器ＴＷ１は、例えば、茶碗、皿、グラス等の飲食用器や、箸、スプーン、フォーク等の飲食用具等である。
【００４７】
＜ヒータ、温度センサ、乾燥ファン及び水位センサ＞
図１及び図２に示すように、食器洗浄機１は、ヒータ６３、温度センサ３３、乾燥ファン６８及び水位センサ３１をさらに備えている。ヒータ６３、温度センサ３３、乾燥ファン６８及び水位センサ３１は、洗浄槽７に組み付けられており、洗浄槽７が出し入れされる際に洗浄槽７と共に移動する。
【００４８】
ヒータ６３、温度センサ３３、乾燥ファン６８及び水位センサ３１は、本発明の「電気部品」の一例である。温度センサ３３及び水位センサ３１は、図３及び図４に示すセンサ類Ｓ１に含まれている。なお、説明及び図示は省略するが、センサ類Ｓ１には、洗浄槽７が収容位置にあるか否かを検知する位置センサや、洗浄槽７が収容位置でロックされたか否かを検知するロックセンサ等も含まれている。
【００４９】
図１に示すように、ヒータ６３は、洗浄槽７の貯水部７１に貯められた洗浄水、又は洗浄槽７内の空気を加熱する。温度センサ３３は、洗浄槽７の温度を検知する。
【００５０】
乾燥ファン６８は、ヒータ６３を作動させた状態で回転作動することにより、加熱された空気を洗浄槽７内に送り込んで食器ＴＷ１を乾燥させる。乾燥ファン６８により洗浄槽７内に送り込まれた空気は、洗浄槽７の前面に形成された通気口７Ｅから食器洗浄機１の外部に排気される。
【００５１】
水位センサ３１は、洗浄槽７の貯水部７１の隣に配置された水位検知槽３０内に設けられたフロート式センサである。水位検知槽３０は、連通管Ｐ３を介して洗浄槽７の貯水部７１と接続されている。水位センサ３１は、洗浄槽７内の洗浄水の水位を検知する。
【００５２】
＜ノズル及びポンプ＞
図１及び図２に示すように、食器洗浄機１は、ノズル６１及びポンプ６２をさらに備えている。ノズル６１は、洗浄槽７内に配置されている。ポンプ６２は、洗浄槽７の貯水部７１の下側に組み付けられている。ノズル６１及びポンプ６２は、洗浄槽７が出し入れされる際に洗浄槽７と共に移動する。ポンプ６２も、本発明の「電気部品」の一例である。
【００５３】
ノズル６１は、複数の吐出孔から洗浄槽７内に洗浄水を噴射する。ノズル６１の噴射方向は、洗浄槽７内で重ねられた複数の食器ＴＷ１を確実に洗浄したり、洗浄槽７の内壁面や食器かご７０を洗浄したりするために、様々な方向に変化するようになっている。
【００５４】
ポンプ６２は、正転作動時、洗浄槽７の貯水部７１に貯められた洗浄水をノズル６１に供給して噴射させる。その噴射された洗浄水は貯水部７１に貯められるので、ポンプ６２によって繰り返しノズル６１に供給される。また、ポンプ６２は、逆転作動時、洗浄槽７内の洗浄水を残菜フィルタ６７及び排水管Ｐ２を介して食器洗浄機１の外部に排出する。
【００５５】
＜制御部及び入出力部＞
食器洗浄機１は、制御部Ｃ１及び入出力部４０をさらに備えている。制御部Ｃ１は、洗浄槽７の前面側における取っ手部７Ｇによりも下方に配置されている。入出力部４０は、洗浄槽７の前面側の上端部に配置されている。制御部Ｃ１及び入出力部４０は、洗浄槽７が出し入れされる際に洗浄槽７と共に移動する。制御部Ｃ１及び入出力部４０も、本発明の「電気部品」の一例である。
【００５６】
制御部Ｃ１は、図示しないＣＰＵと、ＲＯＭ及びＲＡＭ等の記憶素子によって構成されたメモリと、制御対象との間で信号の送受信を行うインターフェース回路と、制御対象への給電を制御する給電回路と、を含んで構成された電子回路ユニットである。メモリは、食器洗浄機１を動作させるためのプログラム及び設定情報等を記憶している。
【００５７】
図３及び図４に示すように、筐体９内には、給電配線ＷＰ１が設けられている。給電配線ＷＰ１の一端は、筐体９の後端から引き出されて、コンセント等の電源に接続される。給電配線ＷＰ１の他端は、制御部Ｃ１に接続されている。制御部Ｃ１には、給電配線ＷＰ１を経由して電力が供給される。
【００５８】
図４に示すように、給電配線ＷＰ１は、洗浄槽７の引き出し位置への移動を阻害しないように、洗浄槽７の引き出し距離に応じて長くされている。図３に示すように、給電配線ＷＰ１は、洗浄槽７が収容位置に移動するときに、逆Ｕ字形状に湾曲して洗浄槽７の後端と筐体９の後端との間の狭い空間に収まるようになっている。
【００５９】
制御部Ｃ１は、ポンプ６２、ヒータ６３及び乾燥ファン６８等を制御して作動させるとともに、温度センサ３３及び水位センサ３１を含むセンサ類Ｓ１から各種の検知信号を受信する。
【００６０】
入出力部４０は、ユーザが入力操作を行うための図示しない複数のボタン等を有している。また、入出力部４０は、ランプや、ユーザに各種の情報を伝達するために数字や文字等を表示可能な表示素子等を有している。入出力部４０は、ユーザの入力操作を制御部Ｃ１に伝達するとともに、制御部Ｃ１から伝達された情報を表示する。
【００６１】
図１に示すように、洗浄槽７が収容位置にある状態では、入出力部４０の全体がシステムキッチンの天板ＣＴ１によって隠蔽されている。このため、ユーザは、入出力部４０を操作及び視認できないようになっている。
【００６２】
その一方、洗浄槽７が図１に示す収容位置から、図２に示すように引き出されることにより、入出力部４０の全体がシステムキッチンの天板ＣＴ１よりも前方に移動する。このため、ユーザは、入出力部４０を操作及び視認できるようになる。
【００６３】
＜制御部、ポンプ、乾燥ファン、ヒータ、入出力部及びセンサ類のアースの取り方＞
図３及び図４に示すように、筐体９の後端には、アース引き出し線ＥＤ１の一端が接続されている。アース引き出し線ＥＤ１の他端は、接地されている。
【００６４】
導電性を有する筐体９は、アース引き出し線ＥＤ１の一端と電気的に導通するアース接続経路ＥＣ１を兼ねている。スライドレール１０の支持レール１１は、筐体９の側壁９Ｓに組み付けられることによって、アース接続経路ＥＣ１に電気的に導通している。
【００６５】
食器洗浄機１は、アース配線Ｅ１をさらに備えている。アース配線Ｅ１は、制御部Ｃ１、ポンプ６２、乾燥ファン６８、ヒータ６３、入出力部４０及びセンサ類Ｓ１のそれぞれから延びて１本に合流し、さらに下向きに延びて端部Ｅ１Ｅに到る。
【００６６】
アース配線Ｅ１の端部Ｅ１Ｅは、図３及び図４の紙面手前側に位置するスライドレール１０における可動レール１５の前端部１５Ｆに電気的に導通している。これにより、アース配線Ｅ１は、図３及び図４の紙面手前側に位置するスライドレール１０の可動レール１５及び支持レール１１と、筐体９が兼ねるアース接続経路ＥＣ１と、アース引き出し線ＥＤ１とを経由して接地されている。
【００６７】
図４に示すように、可動レール１５が引き出し方向にスライドして洗浄槽７が引き出し位置に移動しても、スライドレール１０が支持レール１１から可動レール１５までに亘って導電性を有する状態が維持され、アース配線Ｅ１が接地された状態が維持されるようになっている。
【００６８】
＜洗浄動作＞
上記構成である食器洗浄機１では、以下の手順で、洗浄動作が実行される。すなわち、入出力部４０が上記のように配置されていることから、洗浄槽７が図２に示すように引き出された状態で、ユーザが入出力部４０を操作して洗浄動作の開始を指示した後に、洗浄槽７を図１に示す収容位置まで押し込む。これにより、制御部Ｃ１は、図示しない位置センサによって洗浄槽７が収容位置にあることが検知され、かつ図示しないロックセンサによって洗浄槽７が収容位置でロックされたことが検知されたことを条件として、ポンプ６２を作動させ、ノズル６１から洗浄槽７内に洗浄水を噴射する洗浄動作を実行する。つまり、制御部Ｃ１は、洗浄槽７の開口７Ｈが蓋体８によって閉塞される状態を確認した上で、ポンプ６２を作動させて洗浄動作を実行する。そして、制御部Ｃ１は、洗浄動作の進行に応じて、ヒータ６３及び乾燥ファン６８を適宜作動させて、洗浄槽７内の食器ＴＷ１を綺麗に洗浄した後、その食器ＴＷ１を乾燥させて、洗浄動作を終了する。
【００６９】
＜作用効果＞
実施例１の食器洗浄機１では、図３及び図４に示すように、アース配線Ｅ１の端部Ｅ１Ｅが可動レール１５に電気的に導通する構成により、アース配線Ｅ１と、図３及び図４の紙面手前側に位置するスライドレール１０の可動レール１５及び支持レール１１と、アース接続経路ＥＣ１と、アース引き出し線ＥＤ１とを経由して、洗浄槽７と共に移動する電気部品、すなわち制御部Ｃ１、ポンプ６２、乾燥ファン６８、ヒータ６３、入出力部４０及びセンサ類Ｓ１のアースを取ることができる。
【００７０】
そして、この食器洗浄機１では、図３及び図４に示す給電配線ＷＰ１とアース配線Ｅ１とを比較することによって明らかなように、スライドレール１０の可動レール１５及び支持レール１１の長さに応じて、アース配線Ｅ１を短縮できる。
【００７１】
その結果、この食器洗浄機１では、アース配線Ｅ１自体の部品コストを低廉化できるとともに、アース配線Ｅ１の引き廻し部材等の省略又は簡略によって、部品点数の削減や組み付け作業の簡素化を実現できる。また、この食器洗浄機１では、アース配線Ｅ１が短縮される分だけ、電気的ノイズを減少させることができる。
【００７２】
したがって、実施例１の食器洗浄機１では、製造コストを低廉化できるとともに、制御部Ｃ１、ポンプ６２、乾燥ファン６８、ヒータ６３、入出力部４０及びセンサ類Ｓ１の電気的ノイズに起因する不具合、例えば制御部Ｃ１がエラーを誤検知する不具合を抑制できる。
【００７３】
また、この食器洗浄機１では、アース配線Ｅ１の端部Ｅ１Ｅは、可動レール１５の前端部１５Ｆに電気的に導通している。この構成により、スライドレール１０の可動レール１５及び支持レール１１の全体を利用して、制御部Ｃ１、ポンプ６２、乾燥ファン６８、ヒータ６３、入出力部４０及びセンサ類Ｓ１のアースを取ることができるので、アース配線Ｅ１を一層短縮できる。その結果、この食器洗浄機１では、製造コストを一層低廉化できるとともに、制御部Ｃ１、ポンプ６２、乾燥ファン６８、ヒータ６３、入出力部４０及びセンサ類Ｓ１の電気的ノイズに起因する不具合を一層抑制できる。
【００７４】
さらに、この食器洗浄機１では、筐体９が導電性を有してアース接続経路ＥＣ１を兼ねており、支持レール１１が筐体９内に固定されることによってアース接続経路ＥＣ１に電気的に導通している。この構成により、支持レール１１がアース接続経路ＥＣ１に電気的に導通する構成についても、部品点数の削減や組み付け作業の簡素化を実現できる。
【００７５】
また、この食器洗浄機１では、電気部品が制御部Ｃ１、ポンプ６２、乾燥ファン６８、ヒータ６３、入出力部４０及びセンサ類Ｓ１であることにより、本発明の作用効果を確実に享受でき、特に電気的ノイズの影響を受け易い制御部Ｃ１、入出力部４０及びセンサ類Ｓ１について不具合を一層抑制できる。
【００７６】
（実施例２）
図６及び図７に示すように、実施例２の食器洗浄機では、実施例１に係るアース配線Ｅ１をアース配線Ｅ２に変更している。アース配線Ｅ２は、制御部Ｃ１、ポンプ６２、乾燥ファン６８、ヒータ６３、入出力部４０及びセンサ類Ｓ１のそれぞれから延びて１本に合流し、さらに下向きに延びた後に後向きに延びて端部Ｅ２Ｅに到る。
【００７７】
アース配線Ｅ２の端部Ｅ２Ｅは、金属バネによって構成され、図６及び図７の紙面手前側に位置するスライドレール１０の支持レール１１に摺接可能に押し付けられている。これにより、アース配線Ｅ２の端部Ｅ２Ｅは、洗浄槽７の移動にかかわらず、支持レール１１に電気的に導通している。
【００７８】
そして、この食器洗浄機では、支持レール１１が筐体９に電気的に導通しない構成に変更されている。この構成は、例えば、支持レール１１が導電性を有しない部材を介在させた状態で導電性を有する筐体９に固定されたり、筐体９を構成する材料が導電性を有しない材料に変更されたりすることにより実現されている。
【００７９】
さらに、この食器洗浄機では、実施例１に係るアース接続経路ＥＣ１を被覆電線等であるアース接続経路ＥＣ２に変更している。支持レール１１の後端は、アース接続経路ＥＣ２を経由してアース引き出し線ＥＤ１に電気的に導通されている。
【００８０】
その結果、アース配線Ｅ２は、図６及び図７の紙面手前側に位置するスライドレール１０の支持レール１１と、アース接続経路ＥＣ２と、アース引き出し線ＥＤ１とを経由して接地されている。
【００８１】
実施例２のその他の構成は実施例１と同様である。このため、実施例１と同一の構成については同一の符号を付して説明を省略又は簡略する。
【００８２】
このような構成である実施例２の食器洗浄機では、アース配線Ｅ２の端部Ｅ２Ｅが支持レール１１に電気的に導通する構成により、アース配線Ｅ２と、図６及び図７の紙面手前側に位置するスライドレール１０の支持レール１１と、アース接続経路ＥＣ２と、アース引き出し線ＥＤ１とを経由して、洗浄槽７と共に移動する制御部Ｃ１、ポンプ６２、乾燥ファン６８、ヒータ６３、入出力部４０及びセンサ類Ｓ１のアースを取ることができる。
【００８３】
そして、この食器洗浄機では、図６及び図７に示す給電配線ＷＰ１とアース配線Ｅ２とを比較することによって明らかなように、支持レール１１の長さに応じて、アース配線Ｅ２を短縮できる。
【００８４】
したがって、実施例２の食器洗浄機では、実施例１の食器洗浄機１と同様に、製造コストを低廉化できるとともに、制御部Ｃ１、ポンプ６２、乾燥ファン６８、ヒータ６３、入出力部４０及びセンサ類Ｓ１の電気的ノイズに起因する不具合を抑制できる。
【００８５】
以上において、本発明を実施例１、２に即して説明したが、本発明は上記実施例１、２に制限されるものではなく、その趣旨を逸脱しない範囲で適宜変更して適用できることはいうまでもない。
【００８６】
実施例１、２ではスライドレール１０の可動レール１５が１段であるがこの構成には限定されず、例えばスライドレールが複数段の可動レールを有していてもよい。
【産業上の利用可能性】
【００８７】
本発明は例えば、食器洗浄機又は厨房設備等に利用可能である。
【符号の説明】
【００８８】
１…食器洗浄機
ＥＣ１、ＥＣ２…アース接続経路
９…筐体
１１…支持レール
１５…可動レール
１０…スライドレール
ＴＷ１…食器
７…洗浄槽
６２、６８、６３、４０、Ｃ１…電気部品（６２…ポンプ、６８…乾燥ファン、６３…ヒータ、４０…入出力部、Ｃ１…制御部）
Ｅ１、Ｅ２…アース配線
Ｅ１Ｅ、Ｅ２Ｅ…アース配線の端部
１５Ｆ…可動レールにおける引き出し方向の先端部（前端部）
【図１】
2020185236.tif 000003
【図２】
2020185236.tif 000004
【図３】
2020185236.tif 000005
【図４】
2020185236.tif 000006
【図５】
2020185236.tif 000007
【図６】
2020185236.tif 000008
【図７】
2020185236.tif 000009